(57)【要約】  本発明は、非直交モードに基づくデータ伝送・データ受信の検出方法及び基地局、ＵＥを開示し、通信技術に関する。基地局は、データを送信する場合、まずは、複数のデータを、加重値掛け及び/または共役することにより、前記データ数より多くない物理リソースにマッピングし、かつ前記複数のデータのうちの各々データは少なくとも１個の物理リソースにマッピングされ、各々データがマッピングされた物理リソース数が完全に同一ではない。そして、物理リソースにおけるデータを送信する。こうすることにより、少ない物理リソースで数多いデータを送信することができ、通信システムのデータ伝送能力を向上することができる。【選択図】図２
2017512425.tif 000002
【特許請求の範囲】
【請求項１】
複数のデータを前記データ数より多くない物理リソースにマッピングし、かつ前記複数のデータのうちの各々データを、加重値掛け及び/または共役することにより、少なくとも１個の物理リソースにマッピングするステップであって、各々データがマッピングされた物理リソース数が完全に同一ではない前記マッピングするステップと、
前記物理リソースにおけるデータを送信するステップと、を備えることを特徴とするデータ伝送方法。
【請求項２】
物理リソースごとにマッピングされたデータ数は前記物理リソース数より大きくないことを特徴とする請求項１に記載のデータ伝送方法。
【請求項３】
同一の物理リソースにマッピングされたデータは重なってから送信されることを特徴とする請求項２に記載のデータ伝送方法。
【請求項４】
前記重なりは線型重なりであることを特徴とする請求項３に記載のデータ伝送方法。
【請求項５】
前記複数のデータは複数の層に分割され、直前の層における各々データがマッピングされた物理リソース数は、直後の層における各々データがマッピングされた物理リソース数より大きいことを特徴とする請求項１に記載のデータ伝送方法。
【請求項６】
同一の層に分割された異なるデータがマッピングされた物理リソース数が同一であることを特徴とする請求項５に記載のデータ伝送方法。
【請求項７】
異なる層のデータに異なる加重値を掛け、直前の層の加重値は直後の層の加重値より大きく、同一の層における異なるデータに掛ける加重値が同一であることを特徴とする請求項５に記載のデータ伝送方法。
【請求項８】
前記複数のデータは少なくとも２つのユーザーに属することを特徴とする請求項１に記載のデータ伝送方法。
【請求項９】
ＵＥは、複数の物理リソースにおいて、基地局が送信したデータを受信するステップであって、前記ＵＥは、前記複数の物理リソースにおける前記データのマッピングモードに基づいて検出し、前記複数の物理リソースには物理リソース数より少なくない複数のデータがマッピングされ、かつ前記複数のデータのうちの各々データは少なくとも１個の物理リソースにマッピングされ、各々データがマッピングされた物理リソース数が完全に同一ではなく、前記複数のデータは複数の層に分割され、異なる層のデータに異なる加重値を掛け、直前の層の加重値は直後の層の加重値より大きく、同一の層における異なるデータに掛ける加重値が同一である前記受信するステップと、
及び/または、
各々層のデータを共役することを特徴とするデータ受信の検出方法。
【請求項１０】
複数のデータを、加重値掛け及び/または前記複数のデータを共役することにより、前記データ数より多くない物理リソースにマッピングし、かつ前記複数のデータのうちの各々データは少なくとも１個の物理リソースにマッピングされ、各々データがマッピングされた物理リソース数が完全に同一ではないマッピングユニットと、
前記物理リソースにおけるデータを送信する送信ユニットと、を備えることを特徴とする基地局。
【請求項１１】
物理リソースごとにマッピングされたデータ数は前記物理リソース数より大きくないことを特徴とする請求項１０に記載の基地局。
【請求項１２】
同一の物理リソースにマッピングされたデータは重なってから送信されることを特徴とする請求項１１に記載の基地局。
【請求項１３】
前記重なりは線型重なりであることを特徴とする請求項１２に記載の基地局。
【請求項１４】
前記複数のデータは複数の層に分割され、直前の層における各々データがマッピングされた物理リソース数は、直後の層における各々データがマッピングされた物理リソース数より大きいことを特徴とする請求項１０に記載の基地局。
【請求項１５】
同一の層に分割された異なるデータがマッピングされた物理リソース数が同一であることを特徴とする請求項１４に記載の基地局。
【請求項１６】
前記複数のデータは少なくとも２つのユーザーに属することを特徴とする請求項１０に記載の基地局。
【請求項１７】
複数の物理リソースにおいて基地局が送信したデータを受信する受信ユニットと、
前記複数の物理リソースにおける前記データのマッピングモードに基づいて検出し、及び／または、各々層のデータを共役する復調ユニットと、を備え、
前記複数の物理リソースには物理リソース数より少なくない複数のデータがマッピングされ、かつ前記複数のデータのうちの各々データは少なくとも１個の物理リソースにマッピングされ、各々データがマッピングされた物理リソース数が完全に同一ではなく、前記複数のデータは複数の層に分割され、異なる層のデータに異なる加重値を掛け、直前の層の加重値は直後の層の加重値より大きく、同一の層における異なるデータに掛ける加重値が同一であることを特徴とするＵＥ。
【請求項１８】
基地局であって、
送受信機と、プロセッサと、メモリと、バスインターフェースとを備え、
前記プロセッサ及びメモリは、バスインターフェースを介して送受信機と接続され、前記プロセッサには１つまたは複数の実行可能なプログラムが設定され、前記１つまたは複数の実行可能なプログラムは、複数のデータを前記データ数より多くない物理リソースにマッピングし、かつ前記複数のデータのうちの各々データを、加重値掛け及び/または共役することにより、少なくとも１個の物理リソースにマッピングし、各々データがマッピングされた物理リソース数が完全に同一ではなく、
前記送受信機は、前記物理リソースにおけるデータを送信することに用いられ、
前記メモリは、１つまたは複数の実行可能なプログラムを記憶し、前記プロセッサの設定に用いられ、
前記バスインターフェースインターフェースを提供することを特徴とする基地局。
【請求項１９】
物理リソースごとにマッピングされたデータ数は前記物理リソース数より大きくないことを特徴とする請求項１８に記載の基地局。
【請求項２０】
同一の物理リソースにマッピングされたデータは重なってから送信されることを特徴とする請求項１９に記載の基地局。
【請求項２１】
前記重なりは線型重なりであることを特徴とする請求項２０に記載の基地局。
【請求項２２】
前記複数のデータは複数の層に分割され、直前の層における各々データがマッピングされた物理リソース数は、直後の層における各々データがマッピングされた物理リソース数より大きいことを特徴とする請求項１８に記載の基地局。
【請求項２３】
同一の層に分割された異なるデータがマッピングされた物理リソース数が同一であることを特徴とする請求項２３に記載の基地局。
【請求項２４】
前記複数のデータは少なくとも２つのユーザーに属することを特徴とする請求項１８に記載の基地局。
【請求項２５】
ＵＥであって、
送受信機と、プロセッサと、メモリと、バスインターフェースとを備え、
前記プロセッサ及びメモリは、バスインターフェースを介して送受信機と接続され、
前記送受信機は、複数の物理リソースにおいて基地局が送信したデータを受信し、
前記プロセッサには１つまたは複数の実行可能なプログラムが設定され、
前記１つまたは複数の実行可能なプログラムは、前記複数の物理リソースにおける前記データのマッピングモードに基づいて検出し、及び/または、各々層のデータを共役し、前記複数の物理リソースには物理リソース数より少なくない複数のデータがマッピングされ、かつ前記複数のデータのうちの各々データは少なくとも１個の物理リソースにマッピングされ、各々データがマッピングされた物理リソース数が完全に同一ではなく、前記複数のデータは複数の層に分割され、異なる層のデータに異なる加重値を掛け、直前の層の加重値は直後の層の加重値より大きく、同一の層における異なるデータに掛ける加重値が同一であり、
前記メモリは、１つまたは複数の実行可能なプログラムを記憶し、前記プロセッサの設定に用いられ、
前記バスインターフェースはインターフェースを提供することを特徴とするＵＥ。
【発明の詳細な説明】
【技術分野】
【０００１】
本発明は通信技術に関し、特にデータ伝送・データ受信の検出方法及び基地局及びＵＥに関する。
【背景技術】
【０００２】
４Ｇ（Ｔｈｅ ４th ＧｅｎｅｒａｔｉｏｎＭｏｂｉｌｅＣｏｍｍｕｎｉｃａｔｉｏｎＴｅｃｈｎｏｌｏｇｙ）システムはリニア・レシーバ及び直交伝送との基本思想に基づいて設計されたものである。リニア・レシーバを利用する原因は、リニア・レシーバが機能を確保するとともに、工程実行も簡単のためである。一方、直交伝送に基づく理由は、直交伝送が受信側工程の実行が簡易化できるためである。図１は直交に基づく設計図であり、異なる各々データは、直交する物理リソースにおいて伝送され、物理リソースごとに、データ１つが伝送され、各々データは直交されており、干渉がない。
【０００３】
無線リソース数が限られたため、直交システムの場合、マルチユーザーの伝送に必要とするシステム容量を満足できない。直交モードでデータ伝送を行う欠陥としては、システム容量が低い、即ち、システムのデータ伝送能力が低いということである。
【０００４】
ＮＴＴ ＤｏＣｏＭｏ会社は、エネルギー配分の原則に基づく非直交多元接続モード（ＷＯ２０１２１６１０８０参照）を提案したが、当該案は、直交システムと比較すれば、機能の利得を得られるが、エネルギー配分の自由度が制限されているため、システム容量は依然として足りなく、システムのデータ伝送能力が低い。
【発明の概要】
【発明が解決しようとする課題】
【０００５】
本発明に係る実施例は、非直交モードに基づくデータ伝送・データ受信の検出方法及び基地局、ＵＥを提供することにより、通信システムのデータ伝送能力を向上する。
【課題を解決するための手段】
【０００６】
本発明に係る実施例により提供するデータ伝送方法は、
複数のデータを前記データ数より多くない物理リソースにマッピングし、かつ前記複数のデータのうちの各々データを、加重値掛け及び/または共役することにより、少なくとも１個の物理リソースにマッピングし、各々データがマッピングされた物理リソース数が完全に同一ではないステップと、
前記物理リソースにおけるデータを送信するステップと、を備える。
【０００７】
データを送信する物理リソース数がデータ数より小さいため、通信システムのデータ伝送能力を向上させることができる。
【０００８】
リソースの浪費を防ぐため、物理リソースごとにマッピングされたデータ数は前記物理リソース数より大きくない。
【０００９】
このましくは、同一の物理リソースにマッピングされたデータは重なってから送信される。
【００１０】
さらに、前記重なりは線型重なりである。
【００１１】
このましくは、前記複数のデータは複数の層に分割され、直前の層における各々データがマッピングされた物理リソース数は、直後の層における各々データがマッピングされた物理リソース数より大きい。
【００１２】
さらに、同一の層に分割された異なるデータがマッピングされた物理リソース数が同一である。
【００１３】
さらに、異なる層のデータに異なる加重値を掛け、直前の層の加重値は直後の層の加重値より大きく、同一の層における異なるデータに掛ける加重値が同一である。
【００１４】
さらに、前記複数のデータは少なくとも２つのユーザーに属する。
【００１５】
本発明に係る実施例により提供するデータ受信の検出方法は、
ＵＥは、複数の物理リソースにおいて、基地局が送信したデータを受信するステップと、
ＵＥは、前記複数の物理リソースにおける前記データのマッピングモードに基づいて検出するステップであって、前記複数の物理リソースには物理リソース数より少なくない複数のデータがマッピングされ、かつ前記複数のデータのうちの各々データは少なくとも１個の物理リソースにマッピングされ、各々データがマッピングされた物理リソース数が完全に同一ではなく、前記複数のデータは複数の層に分割され、異なる層のデータに異なる加重値を掛け、直前の層の加重値は直後の層の加重値より大きく、同一の層における異なるデータに掛ける加重値が同一である前記検出するステップと、及び/または、各々層の
データを共役するステップと、を備える。
【００１６】
データを送信する物理リソース数がデータ数より小さいため、通信システムのデータ伝送能力を向上させることができる。
【００１７】
本発明に係る実施例より提供する基地局は、
複数のデータを、加重値掛け及び/または前記複数のデータを共役することにより、前
記データ数より多くない物理リソースにマッピングし、かつ前記複数のデータのうちの各々データは少なくとも１個の物理リソースにマッピングされ、各々データがマッピングされた物理リソース数が完全に同一ではないマッピングユニットと、
前記物理リソースにおけるデータを送信する送信ユニットと、を備える。
【００１８】
データを送信する物理リソース数がデータ数より小さいため、通信システムのデータ伝送能力を向上させることができる。
【００１９】
リソースの浪費を防ぐため、物理リソースごとにマッピングされたデータ数は前記物理リソース数より大きくない。
【００２０】
このましくは、同一の物理リソースにマッピングされたデータは重なってから送信される。
【００２１】
さらに、前記重なりは線型重なりである。
【００２２】
このましくは、前記複数のデータは複数の層に分割され、直前の層における各々データがマッピングされた物理リソース数は、直後の層における各々データがマッピングされた物理リソース数より大きい。
【００２３】
さらに、同一の層に分割された異なるデータがマッピングされた物理リソース数が同一である。
【００２４】
さらに、前記複数のデータは少なくとも２つのユーザーに属する。
【００２５】
本発明に係る実施例により提供するＵＥは、
複数の物理リソースにおいて基地局が送信したデータを受信する受信ユニットと、
前記複数の物理リソースにおける前記データのマッピングモードに基づいて検出する復調ユニットであって、前記複数の物理リソースには物理リソース数より少なくない複数のデータがマッピングされ、かつ前記複数のデータのうちの各々データは少なくとも１個の物理リソースにマッピングされ、各々データがマッピングされた物理リソース数が完全に同一ではなく、前記複数のデータは複数の層に分割され、異なる層のデータに異なる加重値を掛け、直前の層の加重値は直後の層の加重値より大きく、同一の層における異なるデータに掛ける加重値が同一のであり、および/または、各々層のデータを共役する前記復調
ユニットと、を備える。
【００２６】
データを送信する物理リソース数がデータ数より小さいため、通信システムのデータ伝送能力を向上させることができる。
【００２７】
本発明に係る実施例により提供する基地局は、送受信機と、プロセッサと、メモリと、バスインターフェースとを備え、前記プロセッサ及びメモリは、バスインターフェースを介して送受信機と接続し、
前記プロセッサには１つまたは複数の実行可能なプログラムが設定され、前記１つまたは複数の実行可能なプログラムは、複数のデータを前記データ数より多くない物理リソースにマッピングし、かつ前記複数のデータのうちの各々データを、加重値掛け及び/また
は共役することにより、少なくとも１個の物理リソースにマッピングされ、各々データがマッピングされた物理リソース数が完全に同一ではなく、
前記送受信機は、前記物理リソースにおけるデータを送信することに用いられ、
前記メモリは、１つまたは複数の実行可能なプログラムを記憶し、前記プロセッサの設定に用いられ、
前記バスインターフェースはインターフェースを提供し、プロセッサはバスアーキテクチャ及び通常の動作の管理に用いられ、メモリは、プロセッサが操作を実行する際に利用されたデータを記憶することができる。
【００２８】
バスアーキテクチャは、任意の数の相互接続するバス及びブリッジを備え,具体的に、プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。
【００２９】
方法と同様な発明思想に基づき、本発明に係る実施例に提供するＵＥは、送受信機と、プロセッサと、メモリと、バスインターフェースとを備える。ここで、前記プロセッサ及びメモリは、バスインターフェースを介して送受信機と接続され、
前記送受信機は、複数の物理リソースにおいて基地局が送信したデータを受信し、
前記プロセッサには１つまたは複数の実行可能なプログラムが設定され、前記１つまたは複数の実行可能なプログラムは、前記複数の物理リソースにおける前記データのマッピングモードに基づいて検出し、及び/または、各々層のデータを共役し、前記複数の物理
リソースには物理リソース数より少なくない複数のデータがマッピングされ、かつ前記複数のデータのうちの各々データは少なくとも１個の物理リソースにマッピングされ、各々データがマッピングされた物理リソース数が完全に同一ではなく、前記複数のデータは複数の層に分割され、異なる層のデータに異なる加重値を掛け、直前の層の加重値は直後の層の加重値より大きく、同一の層における異なるデータに掛ける加重値が同一である。
前記メモリは、１つまたは複数の実行可能なプログラムを記憶し、前記プロセッサの設定に用いられる。
【００３０】
前記バスインターフェースはインターフェースを提供し、プロセッサはバスアーキテクチャ及び通常の動作の管理に用いられ、メモリは、プロセッサが操作を実行する際に利用されたデータを記憶することができる。
【００３１】
バスアーキテクチャは、任意の数の相互接続するバス及びブリッジを備え,具体的に、
プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできるこれらは、当該分野の周知技術であるため、本発明において、詳細に説明しない。
【発明の効果】
【００３２】
本発明に係る実施例は、非直交モードに基づくデータ伝送・データ受信の検出方法及び基地局、ＵＥを提供する。基地局は、データを送信する場合、複数のデータを、加重値掛け及び/または共役することにより、前記データ数より多くない物理リソースにマッピングし、かつ前記複数のデータのうちの各々データは少なくとも１個の物理リソースにマッピングされ、各々データがマッピングされた物理リソース数が完全に同一ではない。そして、物理リソースにおけるデータを送信する。こうすることにより、少ない物理リソースで数多いデータを送信することができ、通信システムのデータ伝送能力を向上することができる。
【図面の簡単な説明】
【００３３】
【図１】従来技術において直交モードでデータ伝送を実施することを示す図である。
【図２】本発明に係る実施例がデータ伝送方法フローチャートである
【図３ａ】本発明に係る実施例の３データ伝送を示す図である。
【図３ｂ】本発明に係る実施例のLTEシステム中３データ伝送の具体的な実施手法を示す図である。
【図３ｃ】本発明に係る実施例の２データ伝送を示す図である。
【図４】本発明に係る実施例の５データ伝送を示す図である。
【図５】本発明に係る実施例のデータ受信の検出方法フローチャートである。
【図６】本発明に係る実施例の基地局を示す図である。
【図７】本発明に係る実施例のＵＥを示す図である。
【図８】本発明に係る実施例のＵＥを示す図である。
【図９】本発明に係る実施例の基地局の構成図である。
【図１０】本発明に係る実施例のＵＥの構成図である。
【発明を実施するための形態】
【００３４】
本発明に係る実施例は、非直交モードに基づくデータ伝送・データ受信の検出方法及び基地局、ＵＥを提供する。基地局は、データを送信する場合、まずは、加重値掛け及び／または共役することにより、前記データ数より多くない物理リソースにマッピングし、かつ前記複数のデータのうちの各々データは少なくとも１個の物理リソースにマッピングされ、各々データがマッピングされた物理リソース数が完全に同一ではない。そして、物理リソースにおけるデータを送信する。こうすることにより、少ない物理リソースで数多いデータを送信することができ、通信システムのデータ伝送能力を向上することができる。
【００３５】
図２に示すように、本発明に係る実施例のデータ伝送方法は、ステップＳ２０１と、ステップＳ２０２とを備える。
【００３６】
ステップＳ２０１において、複数のデータを、加重値掛け及び/または共役することにより、データ数より多くない物理リソースにマッピングする。複数のデータのうちの各々データは少なくとも１個の物理リソースにマッピングされ、各々データがマッピングされた物理リソース数が完全に同一ではない。
【００３７】
ステップＳ２０２において、前記物理リソースにおけるデータを送信する。
【００３８】
データを送信する物理リソース数がデータ数より小さいため、通信システムのデータ伝送能力を向上させることができる。
【００３９】
電力制御により、各々物理リソースにおいて送信するデータ数が物理リソース数より大きくするが、リソースの浪費を防ぐため、物理リソースごとにマッピングされたデータ数は前記物理リソース数より大きくない。
【００４０】
このましくは、重なりモードにより同一の物理リソースにおけるデータを送信することができる。即ち、同一の物理リソースにマッピングされたデータは重なってから送信される。当該重なりは線型重なりである。
【００４１】
このましくは、マッピングする場合、複数のデータを複数の層に分割し、異なる層のデータに異なる加重値を掛ける。ここで、直前の層の加重値は直後の層の加重値より大きく、同一の層における異なるデータに掛ける加重値が同一である。及び/または、各々層のデータを共役し、直前の層における各々データがマッピングされた物理リソース数は、直後の層における各々データがマッピングされた物理リソース数より大きい。さらに、同一の層に分割された異なるデータとマッピングされた物理リソース数は同一である。
【００４２】
さらに、複数のデータは１個のユーザーに属することもできるし、少なくとも２つのユーザーに属することもできる。
【００４３】
複数のデータは少なくとも２つのユーザーに属する場合、基地局は、まず、少なくとも２つのユーザーのＮ個のデータをＫ層に分割して、総計Ｍ個の無関係物理リソースにより前記Ｎ個のデータを送信する。ここで、ＮはＭより大きい、同一の層におけるデータの場合、当該データの送信に占有された無関係物理リソース数が同一であり、また、直後の層における各々データの送信に占有される無関係物理リソース数より大きい。
【００４４】
基地局がユーザーのＮ個のデータをＫ層に分割してＭ個の物理リソースにおいて伝送するため、異なる層のデータに異なる加重値を掛ける。ここで、直前の層の加重値は直後の層の加重値より大きく、同一の層における異なるデータに掛ける加重値が同一である。及び/または、各々層のデータを共役し、直後の層におけるデータの送信ダイバーシティは直前の層におけるデータの送信ダイバーシティより小さく、基于シリアル干渉除去に基づく受信機のデータストリームのダイバーシティの獲得は、第１層で一番低く、その後、毎層ずつ増加する。しかし、本発明に係る実施例の送信モードにより、直後の層におけるデータの送信ダイバーシティは直前の層におけるデータの送信ダイバーシティより小さくなり、第１層データの送信ダイバーシティが一番大きい。こうして、シリアル干渉除去に基づく受信機により検出した後の各々層のデータダイバーシティが類似するようになり、ユーザーが自身に対応するデータを解析することに有用である。
【００４５】
ここで、ダイバーシティの送信とは、当該データの送信に占有される無関係物理リソース数を指す。２つの無関係物理リソースにおいて伝送されるデータは無関係である。同一の物理リソースに伝送されるデータが複数であれば、この複数のデータは相互に関係する。一般的に、同一の物理リソースにおいて、線型重なりモードで複数のデータを送信する。
【００４６】
電力制御により、各々物理リソースにおいて伝送するデータがＭより大きくすることができ、即ち、ＫがＭより大きいことができるが、ＫがＭより大きい場合、余計なリソース浪費が起きるため、一般的に、好ましくは、ＫがＭより大きくない場合、ＵＥは自身に対応するデータを解析でき、基地局は、各々物理リソースにおいてＭより大きくない数のデータを送信する。
【００４７】
このましくは、基地局は、一定粒度の物理リソースそれぞれにおいて、Ｍ個のデータを伝送することにより、少リソース浪費を低減するとともに、各々ユーザーが自身に対応するデータを正確に解析できるようにする。
【００４８】
受信側において、シリアル干渉除去受信モードで信号を検出する。基于シリアル干渉除去に基づく受信機の第i層データストリームの受信ダイバーシティは、数１により算出する
【００４９】
【数１】
2017512425.tif 000003
【００５０】
ここでＮRはデータの送信ダイバーシティと受信アンテナ数の和であり、ＮTはデータを送信するアンテナ数である。
【００５１】
シリアル干渉除去が検出する場合、シリアル干渉除去により検出された第１層のデータが、検出によるダイバーシティが一番低く、検出された直後の層におけるデータダイバーシティは検出された直前の層におけるデータダイバーシティに１を加算した値である。よって、シリアル干渉除去に基づく受信機システムの機能は、第１層の干渉キャンセラの正確度により決められる。そして、本発明に係る実施例は非直交リアル干ジョイント設計の送信モードを提供する。送信する基本原則としては、直前の層におけるデータの送信ダイバーシティが直後の層におけるデータの送信ダイバーシティより大きくすることである。こうして、シリアル干渉除去された後の各々層のデータのダイバーシティが類似するようになる。
【００５２】
データストリームは、周波数、空間または時間などのうちの１次元において物理リソースの無関係を実現できるし、いずれかの２次元においてリソースの無関係を実現でき、これによってその他も類推する。
【００５３】
３つのユーザー、２つの無関係物理リソースの例において、図３aに示すように、数２によって送信する。
【００５４】
【数２】
2017512425.tif 000004
【００５５】
干渉除去された後、受信機により検出された各々層の信号雑音比(ｓｉｇｎａｌ−ｎｏｉｓｅｒａｔｉｏ）を一致またはなるべく一致できるようにすることは、電力割当係数を決める基本原則である。
【００５６】
ユーザー１により送信した第１個のｓ1と第２個のｓ1は、時間または周波数または空間と無関係であるため、受信側で２重ダイバーシティを獲得することを確保できる。１*２のＳＩＭＯ（単一入力多出力）システムにおいて、ユーザー１のｓ1シンボルダイバーシティが２であり、信頼性が一番高く、一番早く復調される。この際、シリアル干渉除去に基づく受信機により検出された信号ｓ1のダイバーシティは、数３により算出できる。
【００５７】
【数３】
2017512425.tif 000005
【００５８】
第１個のシンボルｓ1の復調が終了した後、ユーザー２、ユーザー３のデータｓ2及びｓ3の検出された後のダイバーシティは数４により算出できる。
【００５９】
【数４】
2017512425.tif 000006
【００６０】
複数のデータストリームを有するシステムにおいて、各々データストリームの受信ダイバーシティが同一であれば、対応の送信モードの信頼性が高い。同様に、３以上のデータストリームの場合もこれにより類推できる。
【００６１】
ＬＴＥシステムの例において、上述のような送信を実施しようとすれば、図３ｂのモードにより送信できる。図３ｂにおいて、縦方向は周波数領域を示し、横方向は時間を示す。ユーザー１、２のデータは第１周波数領域において伝送され、ユーザー１、３のデータは第２周波数領域において伝送される。
【００６２】
図３ｃに示すように、２つの直交物理リソースは、２つのデータ伝送に用いられる。この場合、ユーザー２は、２つの直交物理リソースにおいてＳ2及びＳ2'、即ち２つのデータを伝送することができる。
【００６３】
５つのユーザー、３つの直交物理リソースの場合、好ましい一伝送モードは図４に示すように、以下詳細に説明する。
【００６４】
【数５】
2017512425.tif 000007
【００６５】
ここで、s1はユーザー１のデータ、S2はユーザー２のデータ、S3はユーザー３のデータ、S4はユーザー４のデータ、S5はユーザー５のデータを示し、これによって類推すれば、sNはユーザーnのデータを示す。
【００６６】
即ち、第１の物理リソースにおいて第１、第２、第５のユーザーのデータを送信し、第２の物理リソースにおいて第１、第２、第３のユーザーのデータを送信し、第３の物理リソースにおいて、第１、第３、第４のユーザーのデータを送信する。各々ユーザーデータの送信ダイバーシティの関係は、ユーザー１>ユーザー２=ユーザー３>ユーザー４=ユーザー５である。送信アンテナ数及び受信アンテナ数のいずれも３本であれば、各々ユーザーの受信ダイバーシティは数６ないし数８で算出する
【００６７】
【数６】
2017512425.tif 000008
【００６８】
【数７】
2017512425.tif 000009
【００６９】
【数８】
2017512425.tif 000010
【００７０】
図４に示す送信モードは、次のマトリックスにより示すこともできる。
【００７１】
2017512425.tif 000011
【００７２】
総計Ｍ個の無関係物理リソースにおいてＮ個のデータを伝送する場合、基地局は以下のように伝送することができる。
【００７３】
2017512425.tif 000012
【００７４】
このましくは、以下のように、層別に送信することができる。
【００７５】
2017512425.tif 000013
2017512425.tif 000014
【００７６】
本発明に係る実施例はデータ受信の検出方法をさらに提供し、図５に示すように、当該方法はステップＳ５０１と、ステップＳ５０２とを備える。
【００７７】
ステップＳ５０１において、ＵＥは、複数の物理リソースにおいて、基地局が送信したデータを受信する。
【００７８】
ステップＳ５０２において、ＵＥはデータの複数の物理リソースにおけるマッピングモードに基づいて検出する。ここで、複数の物理リソースには物理リソース数より少なくない複数のデータがマッピングされ、かつ、複数のデータのうちの各々データは少なくとも１個の物理リソースにマッピングされ、各々データがマッピングされた物理リソース数が完全に同一ではない。
【００７９】
電力制御により、各々物理リソースにおいて送信するデータ数が物理リソース数より大きくするが、リソースの浪費を防ぐため、物理リソースごとにマッピングされたデータ数は前記物理リソース数より大きくない。
【００８０】
このましくは、重なりモードで同一の物理リソースにおけるデータを送信することができる。即ち、同一の物理リソースにマッピングされたデータは重なってから送信される。ここで、当該重なりは線型重なりである。
【００８１】
このましくは、マッピングする場合、複数のデータを共役して、複数の層に分割する。異なる層に異なる加重値を掛け、直前の層の加重値は直後の層の加重値より大きく、直前の層における各々データがマッピングされた物理リソース数は、直後の層における各々データがマッピングされた物理リソース数より大きい。さらに、同一の層に分割された異なるデータとマッピングされた物理リソース数は同一である。
【００８２】
さらに、複数のデータは１個のユーザーに属することもできるし、少なくとも２つのユーザーに属することもできる。ＵＥは、復調検出後、自身に属するデータを獲得する。
【００８３】
このましくは、ＵＥはシリアル干渉除去モードで検出する。シリアル干渉除去技術は一般的に各々層のデータを順次に検出する技術である。直前の層的検出結果は直後の層における干渉除去に用いられ、直前の層データの干渉影響が除去された結果を利用して直後の層のデータを検出する。
【００８４】
さらに、ＵＥは、各々データがマッピングされた物理リソース数が多い層のデータを、優先的に検出する。
【００８５】
本発明に係る実施例の具体的なデータ受信の検出方法は、図６に示すように、ステップＳ６０１と、ステップＳ６０２とを備える。
【００８６】
ステップＳ６０１において、ＵＥは、基地局がデータ数より多くない物理リソースにより送信した複数のデータを受信し、前記複数のデータのうちの各々データは少なくとも１個の物理リソースにマッピングされ、各々データがマッピングされた物理リソース数が完全に同一ではない。
【００８７】
ステップＳ６０２において、ＵＥはシリアル干渉除去受信モードで自身に対応するデータを解析できるまで、第１層から各々層のデータを順次に解析する。
【００８８】
このましくは、ステップＳ６０１は、具体的に、ＵＥは、基地局がＭ個の直交物理リソースにより少なくとも２つのユーザーに送信したＮ個のデータを受信する。ここで、Ｍ<Ｎである。
【００８９】
且つ、当該Ｎ個のデータはＫ層に分割され、総計Ｍ個の無関係物理リソースを介して送信する。同一の層におけるデータの場合、当該データの伝送に占有される無関係物理リソース数が同一であり、直前の層における各々データの伝送に占有される無関係物理リソース数は、直後の層における各々データの送信に占有される無関係物理リソース数より大きい。
【００９０】
第１層から各々層のデータを順次に解析する場合、各々ユーザーの計算煩雑さは平均的に小さい。
【００９１】
また図３aに示す３つのユーザー、２つの直交物理リソースの例を挙げる。ユーザー１について、ユーザー１の受信信号は下記の数式で計算する
【００９２】
2017512425.tif 000015
2017512425.tif 000016
【００９３】
ユーザー３の検出流れはこれと類似する。
【００９４】
本発明に係る実施例は、基地局をさらに提供する。図７に示すように、当該基地局は、マッピングユニット７０１と、送信ユニット７０２とを備える。
【００９５】
前記マッピングユニット７０１は、複数のデータは、加重値掛け及び/または前記複数
のデータを共役することにより、前記データ数より多くない物理リソースにマッピングする。前記複数のデータのうちの各々データは少なくとも１個の物理リソースにマッピングされ、各々データがマッピングされた物理リソース数が完全に同一ではない。
【００９６】
前記送信ユニット７０２は、前記物理リソースにおけるデータを送信する。
【００９７】
このましくは、物理リソースごとにマッピングされたデータ数は前記物理リソース数より大きくない。
【００９８】
このましくは、同一の物理リソースにマッピングされたデータは重なってから送信される。
【００９９】
さらに、当該重なりは線型重なりである。
【０１００】
このましくは、複数のデータは複数の層に分割され、直前の層における各々データがマッピングされた物理リソース数は、直後の層における各々データがマッピングされた物理リソース数より大きい。
【０１０１】
さらに、異なる層のデータに異なる加重値を掛ける。ここで、直前の層の加重値は直後の層の加重値より大きく、同一の層における異なるデータに掛ける加重値が同一である。及び/または、各々層のデータを共役する。
【０１０２】
さらに、同一の層に分割された異なるデータがマッピングされた物理リソース数が同一である。
【０１０３】
このましくは、複数のデータは少なくとも２つのユーザーに属する。
【０１０４】
本発明に係る実施例により提供するＵＥは、図８に示すように、受信ユニット８０１と、復調ユニット８０２とを備える。
【０１０５】
前記受信ユニット８０１は、複数の物理リソースにおいて基地局が送信したデータを受信する。
【０１０６】
前記復調ユニット８０２は、データの複数の物理リソースにおけるマッピングモードに基づいて検出する。ここで、複数の物理リソースには物理リソース数より少なくない複数のデータがマッピングされ、且つ、複数のデータのうちの各々データは少なくとも１個の物理リソースにマッピングされ、各々データがマッピングされた物理リソース数が完全に同一ではない。
【０１０７】
このましくは、各々物理リソースにマッピングされたデータ数は物理リソース数より大きくない。
【０１０８】
このましくは、同一の物理リソースにマッピングされたデータは、同一の加重値を掛けた後、重なり処理されてから送信される。
【０１０９】
さらに、当該重なりは線型重なりである。
【０１１０】
このましくは、複数のデータは複数の層に分割され、直前の層における各々データがマッピングされた物理リソース数は、直後の層における各々データがマッピングされた物理リソース数より大きい。
【０１１１】
さらに、同一の層に分割された異なるデータがマッピングされた物理リソース数が同一である。
【０１１２】
このましくは、複数のデータは少なくとも２つのユーザーに属する、ＵＥは、復調検出後、自身に属するデータを獲得する。
【０１１３】
さらに、ＵＥはシリアル干渉除去モードで検出する。
【０１１４】
さらに、ＵＥは、各々データがマッピングされた物理リソース数が多い層のデータを優先的に検出する。
【０１１５】
本発明に係る実施例が提供する基地局は、プロセッサを備える。
【０１１６】
前記プロセッサは、複数のデータは、加重値掛けまたは共役することにより、前記データ数より多くない物理リソースにマッピングする。前記複数のデータのうちの各々データは少なくとも１個の物理リソースにマッピングされ、各々データがマッピングされた物理リソース数が完全に同一ではない。そして、前記プロセッサは、前記物理リソースにおけるデータを送信する。
【０１１７】
当該基地局は、本発明に係る実施例のデータ伝送方法の他の機能を実施できるように設定されることもできる。
【０１１８】
当該基地局がデータを送信する場合、送受信機モジュールおよび無線インターフェースにより実施されることができる。
【０１１９】
本発明に係る実施例が提供するＵＥは、プロセッサを備える。
【０１２０】
前記プロセッサは、複数の物理リソースにおいて基地局が送信したデータを受信し、データの複数の物理リソースにおけるマッピングモードに基づいて検出する。複数の物理リソースには物理リソース数より少なくない複数のデータがマッピングされ、複数のデータのうちの各々データは少なくとも１個の物理リソースにマッピングされ、各々データがマッピングされた物理リソース数が完全に同一ではない。
【０１２１】
当該ＵＥは、本発明に係る実施例提供のデータ伝送方法の他の機能を実施できるように設定されることもできる。
【０１２２】
当該ＵＥが各々メッセージを受信する場合、送受信機モジュールおよび無線インターフェースにより実施できる。
【０１２３】
方法と同様な発明思想に基づき、本発明に係る実施例は図９に示すような基地局をさらに提供し、当該基地局は送受信機９０３と、プロセッサ９０１と、メモリ９０２と、バスインターフェース９０４とを備える。
【０１２４】
前記プロセッサ９０１及びメモリ９０２と送受信機９０３の間は、バスインターフェース９０４を介して接続される。
【０１２５】
前記プロセッサ９０１は、１つまたは複数の実行可能なプログラムが設定される。前記１つまたは複数の実行可能なプログラムは、複数のデータを前記データ数より多くない物理リソースにマッピングし、かつ前記複数のデータのうちの各々データを、加重値掛け及び/または共役することにより、少なくとも１個の物理リソースにマッピングする。各々データがマッピングされた物理リソース数が完全に同一ではない。
【０１２６】
前記送受信機９０３は、前記物理リソースにおけるデータを送信する。
【０１２７】
前記メモリ９０２は、１つまたは複数の実行可能なプログラムを記憶し、プロセッサ９０１の設定に用いられる。
【０１２８】
前記バスインターフェース９０４はインターフェースを提供する。プロセッサ９０１はバスアーキテクチャ及び通常の処理の管理に用いられる。メモリ９０２は、プロセッサ９０１が操作を実行する場合利用されたデータを記憶することができる。
【０１２９】
バスアーキテクチャは、任意の数の相互接続するバス及びブリッジを備える。プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。
【０１３０】
方法と同様な発明思想に基づき、本発明に係る実施例は図１０に示すようなＵＥは、送受信機１００３と、プロセッサ１００１と、メモリ１００２と、バスインターフェース１００４とを備える。
【０１３１】
前記プロセッサ１００１及びメモリ１００２は、バスインターフェース１００４を介して送受信機１００３と接続される。
【０１３２】
前記送受信機１００３は、複数の物理リソースにおいて基地局が送信したデータを受信する。
【０１３３】
前記プロセッサ１００１には、１つまたは複数の実行可能なプログラムが設定される。前記１つまたは複数の実行可能なプログラムは、前記複数の物理リソースにおける前記データのマッピングモードに基づいて検出し、及び/または、各々層のデータを共役する。前記複数の物理リソースには物理リソース数より少なくない複数のデータがマッピングされる。前記複数のデータのうちの各々データは少なくとも１個の物理リソースにマッピングされ、各々データがマッピングされた物理リソース数が完全に同一ではない。ここで、前記複数のデータは複数の層に分割され、異なる層のデータに異なる加重値を掛け、直前の層の加重値は直後の層の加重値より大きく、同一の層における異なるデータに掛ける加重値が同一である。
【０１３４】
前記メモリ１００２は、１つまたは複数の実行可能なプログラムを記憶し、プロセッサ１００１の設定に用いられる。
【０１３５】
バスインターフェース１００４は、インターフェースを提供する。プロセッサ１００１は、バスアーキテクチャ及び通常の処理の管理に用いられる。メモリ１００２は、プロセッサ１００１が操作を実行する場合に利用されるデータを記憶することができる。
【０１３６】
バスアーキテクチャは、任意の数の相互接続するバス及びブリッジを備える。プロセッサが代表となる１つまたは複数のプロセッサ及びメモリが代表となるメモリの多様な回路により接続される。バスアーキテクチャは、外部設備、電圧レギュレーター及び電力管理回路等の他の回路を接続することもできるこれらは、当該分野の周知技術であるため、本発明において、詳細に説明しない。
【０１３７】
本発明に係る実施例は、非直交モードに基づくデータ伝送・データ受信の検出方法及び基地局、ＵＥを提供する。基地局は、データを送信する場合、首先複数のデータを前記データ数より多くない物理リソースにマッピングし、かつ前記複数のデータのうちの各々データを、加重値掛け及び/または共役することにより、少なくとも１個の物理リソースにマッピングされ、各々データがマッピングされた物理リソース数が完全に同一ではない。そして、物理リソースにおけるデータを送信する。こうすることにより、少ない物理リソースで数多いデータを送信することができ、通信システムのデータ伝送能力を向上することができる。
【０１３８】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１３９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１４０】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１４１】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１４２】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１４３】
本発明の好ましい実施例を以上のように説明したが、当業者が基本的な創造的な概念を知る以上、上述した実施形態に記述された技術的な解決手段を改造することができる。添付の請求の範囲は、そのような、好ましい実施例、及び本願発明の範囲内に属するすべての改造と置換を含む。
【０１４４】
本出願は、２０１４年２月２６日に中国特許局に提出し、出願番号が２０１，４１０，０６７，１６７.Ｘであり、発明名称が「データ伝送・データ受信の検出方法及び基地局及びＵＥ」との中国特許出願を基礎とする優先権を主張し、その開示の総てをここに取り込む。
【図１】
2017512425.tif 000017
【図２】
2017512425.tif 000018
【図３ａ】
2017512425.tif 000019
【図３ｂ】
2017512425.tif 000020
【図３ｃ】
2017512425.tif 000021
【図４】
2017512425.tif 000022
【図５】
2017512425.tif 000023
【図６】
2017512425.tif 000024
【図７】
2017512425.tif 000025
【図８】
2017512425.tif 000026
【図９】
2017512425.tif 000027
【図１０】
2017512425.tif 000028
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
複数のデータを前記データ数より多くない物理リソースにマッピングし、かつ前記複数のデータのうちの各々データを、加重値掛け及び/または共役することにより、少なくとも１個の物理リソースにマッピングするステップであって、各々データがマッピングされた物理リソース数が完全に同一ではない前記マッピングするステップと、
前記物理リソースにおけるデータを送信するステップとを備えることを特徴とするデータ伝送方法。
【請求項２】
物理リソースごとにマッピングされたデータ数は前記物理リソース数より大きくないことを特徴とする請求項１に記載のデータ伝送方法。
【請求項３】
同一の物理リソースにマッピングされたデータは重なってから送信されることを特徴とする請求項２に記載のデータ伝送方法。
【請求項４】
前記重なりは線型重なりであることを特徴とする請求項３に記載のデータ伝送方法。
【請求項５】
前記複数のデータは複数の層に分割され、直前の層における各々データがマッピングされた物理リソース数は、直後の層における各々データがマッピングされた物理リソース数より大きいことを特徴とする請求項１に記載のデータ伝送方法。
【請求項６】
同一の層に分割された異なるデータがマッピングされた物理リソース数が同一であることを特徴とする請求項５に記載のデータ伝送方法。
【請求項７】
異なる層のデータに異なる加重値を掛け、直前の層の加重値は直後の層の加重値より大きく、同一の層における異なるデータに掛ける加重値が同一であることを特徴とする請求項５に記載のデータ伝送方法。
【請求項８】
前記複数のデータは少なくとも２つのユーザーに属することを特徴とする請求項１に記載のデータ伝送方法。
【請求項９】
ＵＥは、複数の物理リソースにおいて、基地局が送信したデータを受信するステップであって、前記ＵＥは、前記複数の物理リソースにおける前記データのマッピングモードに基づいて検出し、前記複数の物理リソースには物理リソース数より少なくない複数のデータがマッピングされ、かつ前記複数のデータのうちの各々データは少なくとも１個の物理リソースにマッピングされ、各々データがマッピングされた物理リソース数が完全に同一ではなく、前記複数のデータは複数の層に分割され、異なる層のデータに異なる加重値を掛け、直前の層の加重値は直後の層の加重値より大きく、同一の層における異なるデータに掛ける加重値が同一である前記受信するステップと、
及び/または、
各々層のデータを共役することを特徴とするデータ受信の検出方法。
【請求項１０】
複数のデータを、加重値掛け及び/または前記複数のデータを共役することにより、前記データ数より多くない物理リソースにマッピングし、かつ前記複数のデータのうちの各々データは少なくとも１個の物理リソースにマッピングされ、各々データがマッピングされた物理リソース数が完全に同一ではないマッピングユニットと、
前記物理リソースにおけるデータを送信する送信ユニットとを備えることを特徴とする基地局。
【請求項１１】
物理リソースごとにマッピングされたデータ数は前記物理リソース数より大きくないことを特徴とする請求項１０に記載の基地局。
【請求項１２】
同一の物理リソースにマッピングされたデータは重なってから送信されることを特徴とする請求項１１に記載の基地局。
【請求項１３】
前記複数のデータは複数の層に分割され、直前の層における各々データがマッピングされた物理リソース数は、直後の層における各々データがマッピングされた物理リソース数より大きいことを特徴とする請求項１０に記載の基地局。
【請求項１４】
同一の層に分割された異なるデータがマッピングされた物理リソース数が同一であることを特徴とする請求項１３に記載の基地局。
【請求項１５】
前記複数のデータは少なくとも２つのユーザーに属することを特徴とする請求項１０に記載の基地局。
【国際調査報告】
2017512425.tif 000029
2017512425.tif 000030
2017512425.tif 000031
2017512425.tif 000032